(57)【要約】【課題】ゴムロール交換作業に多くの人手を要さず、かつ、ゴムロール交換作業が簡便な籾摺機を提供する。【解決手段】ベース部２４上に一対のゴムロール４，５を有し、該一対のゴムロール４，５のうちの一方を固定ロールとして固定軸受２３で両持ち支持するとともに、他方を移動ロールとして移動軸受２２で両持ち支持し、各々のゴムロール４，５を異なる周速度で、かつ反対方向に回転駆動させる一方、前記移動軸受２２にはロール間隙を広狭調節可能とするロール開閉機構を備えた籾摺機であって、固定軸受２２及び移動軸受２３のそれぞれの片側の軸受には、ゴムロール４，５を支承する支承軸の軸端から遠ざかる方向にスライドし、かつ、ゴムロール４，５との干渉を回避する位置に回動することが可能な座部２５，３５をそれぞれ設けた。【選択図】図１
2014208321.tif 000002
【特許請求の範囲】
【請求項１】
ベース部上に一対のゴムロールを有し、該一対のゴムロールのうちの一方を固定ロールとして固定軸受で両持ち支持するとともに、他方を移動ロールとして移動軸受で両持ち支持し、各々のゴムロールを異なる周速度で、かつ、反対方向に回転駆動させる一方、前記移動軸受にはロール間隙を広狭調節可能とするロール開閉機構を備えた籾摺機であって、
前記両持ち支持する固定軸受及び前記両持ち支持する移動軸受のそれぞれの片側の軸受には、前記ゴムロールを支承する支承軸の軸端から遠ざかる方向にスライドし、かつ、前記ゴムロールとの干渉を回避する位置に回動することが可能な座部をそれぞれ設けたことを特徴とする籾摺機。
【請求項２】
前記固定軸受及び前記移動軸受に設けたそれぞれの座部には、前記固定軸受及び前記移動軸受が前記支承軸の軸端から遠ざかる方向にスライドし、かつ、前記ゴムロールとの干渉を回避する位置に回動するよう、前記ベース部と連結したスライド軸を設けてなる請求項１記載の籾摺機。
【請求項３】
前記ゴムロールを支承する支承軸を長尺状に形成し、該長尺状の支承軸の軸方向にゴムロールを複数個軸着して長尺状のゴムロールに形成し、該長尺状のゴムロールを前記ベース部上に一対備えてなる請求項１又は２記載の籾摺機。
【請求項４】
前記一対のゴムロールの上方に、流下位置又は傾斜角度を手動で変更可能であって、前記一対のゴムロールの間隙に原料を帯状にして供給する案内シュートを備えてなる請求項１から３のいずれかに記載の籾摺機。
【請求項５】
前記案内シュートから流下される原料籾の流下幅を、前記ゴムロールの幅と同等な幅の帯状としてなる請求項４記載の籾摺機。
【請求項６】
前記ロール開閉機構は、ベース部上の座部を介して回動可能に立設したロール開閉リンクと、該ロール開閉リンク下端に設けた支軸と、前記ロール開閉リンク中間部に設けた軸受部と、前記ロール開閉リンク上端に設けたロール開閉支軸と、該ロール開閉支軸と連結したロール開閉用シリンダとにより形成される請求項１から５のいずれかに記載の籾摺機。
【請求項７】
前記一対のゴムロール支承軸には、低速で回転していたゴムロールを高速側に、高速で回転していたゴムロールを低速側にそれぞれの周速度を変更することができるよう、後端部にそれぞれ小径プーリ及び大径プーリを軸着してなる請求項１から６のいずれかに記載の籾摺機。
【発明の詳細な説明】
【技術分野】
【０００１】
本発明は、籾摺機に関するものであり、特に、脱ぷ処理能力の優れた籾摺機を提供するものである。
【背景技術】
【０００２】
米などの穀物調製加工機械として籾から籾殻を脱離して玄米にする籾摺機が知られている。この籾摺機の籾摺方式としては、一対のゴムロールを間隙を介して対向配置し、該一対のゴムロールの各ロールの周速度を互いに異ならせて反対方向に回転させ、前記ロール間隙に籾を供給したときに、ロール間の周速度差及びせん断破壊力により籾摺を行うゴムロール式がよく知られている。
【０００３】
前記ゴムロール式籾摺機のゴムロールは、鋳鉄製の鉄心にゴムを環状に固着したものであって、その形状寸法は、直径が１５３〜２５４ｍｍの範囲、幅が６３．５〜１５２．４ｍｍの範囲として日本工業規格のＪＩＳＢ９１２４により規格されている。そして、このＪＩＳ規格の汎用のゴムロールを使用すれば、当該ゴムロールの大きさによって籾摺機の玄米排出能力が決定されることになる。例えば、３インチゴムロールが使用される３インチ型籾摺機であれば、その玄米排出能力が約０．８トン／ｈとなり、１０インチゴムロールが使用される１０インチ型籾摺機であれば、その玄米排出能力が約５トン／ｈとなる。
【０００４】
このように、ゴムロール式籾摺機の玄米排出能力は、ゴムロール径によって決定されるのではあるが、汎用ゴムロールを組み合わせて通常の籾摺機よりも玄米排出能力を格段に向上させたものも知られている。例えば、特許文献１は、汎用の１０インチゴムロールを軸方向に２つ連結して長尺状のゴムロールに形成し、この長尺状のゴムロールを一対備えることで、従来の１０インチ籾摺機よりも能力を２倍に向上した籾摺機を提供することができるものである。
【０００５】
しかしながら、上記特許文献１に記載された籾摺機にあっては、ゴムロールが長尺状に形成されているため、ゴムロールの支承軸も長尺状となり、ゴムロール交換作業が重労働となる問題があった（ゴムロール交換作業には少なくとも２人の作業員が必要となる。）。また、長尺状支承軸からゴムロールを取り外す際、支承軸側に固定されたベアリングを抜き取る必要があり、作業時間が大幅にかかる、といった問題もあった。
【先行技術文献】
【特許文献】
【０００６】
【特許文献１】中国実用新案公告第２４２００５８号明細書
【発明の概要】
【発明が解決しようとする課題】
【０００７】
上記問題点にかんがみ本発明は、ゴムロール交換作業に多くの人手を要さず、かつ、ゴムロール交換作業が簡便な籾摺機を提供することを技術的課題とする。
【課題を解決するための手段】
【０００８】
上記の課題を解決するため請求項１記載の発明は、ベース部上に一対のゴムロールを有し、該一対のゴムロールのうちの一方を固定ロールとして固定軸受で両持ち支持するとともに、他方を移動ロールとして移動軸受で両持ち支持し、各々のゴムロールを異なる周速度でかつ反対方向に回転駆動させる一方、前記移動軸受にはロール間隙を広狭調節可能とするロール開閉機構を備えた籾摺機であって、前記両持ち支持する固定軸受及び前記両持ち支持する移動軸受のそれぞれの片側の軸受には、前記ゴムロールを支承する支承軸の軸端から遠ざかる方向にスライドし、かつ、前記ゴムロールとの干渉を回避する位置に回動することが可能な座部をそれぞれ設ける、という技術的手段を講じた。
【０００９】
また、請求項２記載の発明によれば、前記固定軸受及び前記移動軸受に設けたそれぞれの座部に、前記固定軸受及び前記移動軸受が前記支承軸の軸端から遠ざかる方向にスライドし、かつ、前記ゴムロールとの干渉を回避する位置に回動するよう、前記ベース部と連結したスライド軸を設けるとよい。
【００１０】
さらに、請求項３記載の発明によれば、前記ゴムロールを支承する支承軸を長尺状に形成し、該長尺状の支承軸の軸方向にゴムロールを複数個軸着して長尺状のゴムロールに形成し、該長尺状のゴムロールを前記ベース部上に一対備えるとよい。
【００１１】
そして、請求項４記載の発明によれば、前記一対のゴムロールの上方に、流下位置又は傾斜角度を手動で変更可能であって、前記一対のゴムロールの間隙に原料を帯状にして供給する案内シュートを備えるとよい。
【００１２】
また、請求項５記載の発明によれば、前記案内シュートから流下される原料籾の流下幅を、前記ゴムロールの幅と同等な幅の帯状とすればよい。
【００１３】
そして、請求項６記載の発明によれば、前記ロール開閉機構を、ベース部上の座部を介して回動可能に立設したロール開閉リンクと、該ロール開閉リンク下端に設けた支軸と、前記ロール開閉リンク中間部に設けた軸受部と、前記ロール開閉リンク上端に設けたロール開閉支軸と、該ロール開閉支軸と連結したロール開閉用シリンダとにより形成するとよい。
【００１４】
さらに、請求項７記載の発明によれば、低速で回転していたゴムロールを高速側に、高速で回転していたゴムロールを低速側にそれぞれの周速度を変更することができるよう、前記一対のゴムロール支承軸の後端部にそれぞれ小径プーリ及び大径プーリを軸着するとよい。
【発明の効果】
【００１５】
請求項１記載の発明によれば、ゴムロールの摩耗が進行して交換時期に到達したら、まず、作業者は籾摺機の作業用のステップに上り、移動軸受の座部及び固定軸受の座部を軸方向にスライドさせる。すなわち、移動軸受の座部及び固定軸受の座部にはベース部と連結したスライド軸がそれぞれ設けられており、移動軸受の座部及び固定軸受の座部がゴムロールの支承軸の軸端から遠ざかる方向に移動すれば、ゴムロールの支承軸から軸受部を抜くことができるのである。次いで、前記スライド軸を中心に移動軸受の座部を時計回りに回動させ、前記固定軸受の座部を反時計回りに回動させる。これにより、ゴムロールの軸方向での干渉部材が全てなくなり、ゴムロール交換作業が極めて容易となるのである。
【００１６】
請求項２記載のように、前記固定軸受及び前記移動軸受に設けたそれぞれの座部に、前記固定軸受及び前記移動軸受が前記支承軸の軸端から遠ざかる方向にスライドし、かつ、前記ゴムロールとの干渉を回避する位置に回動するよう、前記ベース部と連結したスライド軸を設けると、安価でかつ容易な構成でゴムロールの支承軸から軸受部を抜き、ゴムロールとの干渉を回避することができる。
【００１７】
請求項３記載のように、ゴムロールを支承する支承軸を長尺状に形成し、該長尺状の支承軸の軸方向にゴムロールを複数個軸着して長尺状のゴムロールに形成した籾摺機であれば、長尺状支承軸からゴムロールを取り外す際に、支承軸側に固定されたベアリングを抜き取る必要がなく、ゴムロール交換作業は簡便な作業となり、作業に要する人員も１人で十分となる。また、支承軸からゴムロールを取り外す際の作業も簡単であり、作業時間も大幅に短縮することができる。
【００１８】
さらに、請求項４及び５記載のように、一対のゴムロールの上方に、流下位置又は傾斜角度を手動で変更可能であって、前記一対のゴムロールの間隙に原料を帯状にして供給する案内シュートを備えると、案内シュート上を滑走する間に原料籾の長手方向が滑り落ちる方向と平行になるようにその姿勢が調整され、一対のゴムロール間の間隙に落下する時点では、ほとんどの原料籾が長手方向に整列して供給されることになり、砕米の発生を低減することが可能となる。その時の原料籾の流下幅は軸方向に連結したゴムロールの幅と同等な幅の帯状で供給されると、籾摺処理能力を格段に向上させることができる。
【００１９】
また、本発明の請求項６記載の発明によれば、ロール開閉機構を、ベース部上の座部を介して回動可能に立設したロール開閉リンクと、ロール開閉リンク下端に設けた支軸と、前記ロール開閉リンク中間部に設けた軸受部と、前記ロール開閉リンク上端に設けたロール開閉支軸と、該ロール開閉支軸と連結したロール開閉用シリンダとにより形成しているので、例えば、長尺状のゴムロールに形成された籾摺機であっても、軸方向におけるロール間隙の広狭の調節の差をなくしてロールのどの部分でも間隙を一定に維持することができる。
【００２０】
そして、本発明の請求項７記載の発明によれば、低速で回転していたゴムロールを高速側に、高速で回転していたゴムロールを低速側にそれぞれの周速度を変更することができるよう、一対のゴムロール支承軸の後端部にそれぞれ小径プーリ及び大径プーリを軸着しているから、ある程度ゴムロールの摩耗が進行したときに、低速で回転していたゴムロールを高速側に、高速で回転していたゴムロールを低速側にそれぞれ周速度を変更して、ゴムロールの摩耗を均等にしてゴムロールの交換時期を遅らせることができる。
【図面の簡単な説明】
【００２１】
【図１】本発明の籾摺機の全体を示す斜視図である。
【図２】同上の正面図である。
【図３】同上の内部構造を示す概略縦断面図である。
【図４】籾摺部のベルトの掛け回しを示す背面図である。
【図５】風選部の流下路内に設置される均分器の構造を示す斜視図である。
【図６】籾摺部のゴムロール支承軸の軸受部を示す概略斜視図である。
【図７】籾摺部のベルトの掛け回しの別の実施例を示す背面図である。
【図８】ゴムロール支承軸からゴムロールを取り外す際の手順を示す概略斜視図である。
【発明を実施するための形態】
【００２２】
本発明を実施するための形態を図面を参照しながら説明する。図１は本発明の籾摺機の全体を示す斜視図であり、図２は同籾摺機の正面図であり、図３は同籾摺機の内部構造を示す概略縦断面図である。
【００２３】
（籾摺機の全体構造）
図１乃至図３に示すように、籾摺機１は、複数の支柱２により支持された筐体内の風選経路にて摺米の風選を行う風選部３と、該風選部３の上方に載置され、一方を遠近自在の移動軸受に支持し、他方を固定軸受に支持してそれぞれを異なる周速度で、かつ、反対方向に回転させる一対のゴムロール４，５からなる籾摺部６と、該籾摺部６の上方に載置され、原料籾を貯留し、かつ、前記籾摺部６へ原料籾を送給する原料供給部７と、前記風選部３及び前記籾摺部６の側部に設置され、前記風選部３で風選された籾殻などの比重の軽い異物や夾雑物などを風力により吸引除去するアスピレータ８とから主要部が構成される。
【００２４】
（原料供給部の構造）
前記原料供給部７（図３参照）は、その上部に原料供給口９ａから投入された原料籾を貯留することのできる供給タンク９が設けられ、該供給タンク９の中間部には、供給タンク９に貯留された原料籾を機内へ投入するシャッター１０が設けられている。該シャッター１０は、供給タンク９の側方に設けられたエアシリンダ１１のオン・オフ制御により、開閉制御されるようになっている。シャッター１０の下部には流量調節バルブ１２が設けられ、該流量調節バルブ１２の開度は調節つまみ１３（図２参照）を回すことにより調節される構成である。流量調節バルブ１２の下方には、後述の案内シュートへ原料籾を送る搬送手段として、適宜駆動手段により回転する繰り込みロール１４が設けられる。そして、該繰り込みロール１４が回転することにより流量調節バルブ１２と樋１５との間で原料籾のブリッジ現象が崩壊され、原料籾を下方に搬送することができる。符号１６は繰り込みロール１４から落下する原料籾を後述の案内シュートに供給する供給樋である。
【００２５】
前記供給樋１６の先端下方には、繰り込みロール１４から落下した原料籾を籾摺部６のゴムロール４，５間に送り込むための案内シュート１７が所定の傾斜角をもって設けられている。該案内シュート１７はシュート枠１８によって固持され、該シュート枠１８の上端が支持軸１９を中心に回動可能に取り付けられ、下端が調節ロッド２０に嵌合され、ハンドル２１を回転することにより案内シュート１７の傾斜角が調節されるようになっている。案内シュート１７の幅は一対のゴムロール４，５の幅とほぼ等しいように構成されている。
なお、前記案内シュート１７の延長線と前記一対のゴムロール４，５の回転中心軸を結ぶ線とを略垂直になるように構成すれば、一対のゴムロール４，５の回転によって原料籾が弾かれて姿勢が乱れることが少なくなり、砕粒の発生が抑えられるという効果がある。
【００２６】
（籾摺部の構造）
前記籾摺部６（図３乃至図６参照）は、一方のゴムロール４を遠近自在に回動する（図２では紙面左右方向、図６では矢印Ｔ方向）移動軸受２２に支持させ、他方のゴムロール５を固定軸受２３に支持させてそれぞれを異なる周速度で異なる方向に回転させる構造である。前記移動軸受２２は（図６参照）、ベース部２４上の座部２５を介して回動可能に立設したロール開閉リンク２６と、該ロール開閉リンク２６下端に設けた支軸２７と、前記ロール開閉リンク２６中間部に設けた軸受部２８と、該ロール開閉リンク２６上端に設けたロール開閉機構２９とから構成される。そして、ロール開閉機構２９は、ロール開閉リンク２６上端のロール開閉支軸３０と、該ロール開閉支軸３０と連結したロール開閉用シリンダ３１とから構成される。そして、前記移動軸受２２の軸受部２８（前側軸受部２８ａ及び後側軸受部２８ｂ）には、長尺状のゴムロール支承軸３２が両持ちで支持される。そして、この長尺状のゴムロール支承軸３２には、中間部に２つのゴムロール４ａ，４ｂが軸着され、後端部には小径プーリ３３及び大径プーリ３４を軸着してベルトによって回転駆動できる構成となっている。
【００２７】
一方、前記固定軸受２３は（図６参照）、ベース部２４上の座部３５を介して立設した軸受部３６により構成される。そして、前記固定軸受２３の軸受部（前側軸受部３６ａ及び後側軸受け部３６ｂ）には、長尺状のゴムロール支承軸３７が両持ちで支持される。そして、上記同様、ゴムロール支承軸３７には、中間部に２つのゴムロール５ａ，５ｂが軸着され、後端部には大径プーリ３８及び小径プーリ３９を軸着してベルトによって回転駆動できる構成となっている。
【００２８】
前記籾摺部６の筐体６ａ内下部には（図３参照）、漏斗状の集穀樋４０，４１が設けられる。そして、集穀樋４０，４１下方には、前記ゴムロール４，５の直下にあって摺落米を衝突させて衝撃を緩和させる衝突板４２が前記ゴムロール４，５の全幅にわたって設けられている。また、筐体６ａ内上部には、籾摺処理によって舞い上がる塵埃等を吸引する吸引口４３が設けられ、吸引管４４を介して前記アスピレータ８に連絡するように形成されている。
【００２９】
（風選部の構造）
前記風選部３の筐体３ａ内部には（図３参照）、前記籾摺部３からの摺落米を流下させる流下路４５と、該流下路４５から流下した摺落米の風選を行う風選路４６と、前記流下路４５内に設けられ、流下路４５の摺落米の流路幅を拡幅させるための均分器４７と、前記風選路４６内に設けられ、摺落米中の玄米が風選路４６側に吸引されないよう垂直に落下させる複数の整流板４８ａ，４８ｂと、摺落米の精選を行った後の精品となる玄米及び脱ぷされなかった籾との混合粒を機外に排出する精品排出路４９と、摺落米中の籾殻やその他夾雑物を前記アスピレータ８に送る籾殻排出路５０とから構成されている。
【００３０】
前記流下路４５に設置される均分器４７は、図５に示すように、末広がりの扇形状の滑流板４７ａ上に複数の仕切板４７ｂ〜４７iを立設して、複数の流路に区画した形状となっている。これにより、例えば、流路幅を約２倍に拡幅することができるものである。また、前記精品排出路４９には（図３参照）、金網により被覆された二次空気取入口４９ａが設けられており、風選路４６での風選能力が低下しないような構造となっている。さらに、前記籾殻排出路５０の経路の曲がり角には、前記風選路４６により浮遊した籾殻の衝突により筐体が摩耗しないように籾殻衝突板５１が設けられている。
【００３１】
（アスピレータの構造）
前記アスピレータ８は、縦方向に空気が流れる構造の吸引風路５２により形成されており、該吸引風路５２の下流側には、籾殻などの比重の軽い異物や夾雑物などを風力により吸引除去する吸引ファン（図示せず）が接続される。
【００３２】
（籾摺部の回転駆動部の構造）
次に、図４を参照して上記籾摺部６の回転駆動部について説明する。前記籾摺部６の筐体６ａ上の一側には回転駆動用の駆動モータ５２が取り付けられており、該駆動モータ５２の回転力により前記ゴムロール４，５が回転駆動されることになる。詳述すれば、前記駆動モータ５２のモータ軸５２ａに軸着されたモータプーリ５３と、前記駆動モータ５２に隣接して設けられた中継プーリ５４との間は、Ｖベルト５５により巻回されており、駆動モータ５２からの回転力が一旦中継プーリ５４に中継された後に各部へ回転力が伝達されるのである。すなわち、中継プーリ５４と、ゴムロール４の支承軸３２に軸着された大径プーリ３４と、ゴムロール５の支承軸３７に軸着された小径プーリ３９との間は、テンションプーリ５５を介してＶベルト５６により巻回されており、これにより、ゴムロール４，５を異なる周速度で異なる方向に回転させることができる。符号６１は前記テンションプーリ５５のテンション用のエアシリンダである。
【００３３】
一方、中継プーリ５４には、同軸上に小径の中継プーリ５７も軸着されている。これは繰り込みロール１４の回転駆動用に設けられたものであって、該中継プーリ５７と繰り込み用プーリ５８との間に、Ｖベルト５９を巻回させることにより、繰り込みロール１４を常時回転させることができる。なお、符号６０はＶベルト５９のテンションプーリである。さらに、図７に示すように、ゴムロール４の支承軸３２に軸着された小径プーリ３３と、ゴムロール５の支承軸３７に軸着された大径プーリ３８との間に、テンションプーリ５５を介してＶベルト５６を巻回すると、図４とは逆にゴムロール４を高速回転とし、ゴムロール５を低速回転として周速度を変更することが可能となる。
【００３４】
（軸受の移動構造）
次に、図８を参照して上記軸受の移動構造について説明する。図８はゴムロール支承軸からゴムロールを取り外す際の概略斜視図である。籾摺部６の駆動時は、前記移動軸受２２を形成する座部２５及び前記固定軸受２３を形成する座部３５がベース部２４上にボルト等により固定されている（図６参照）。一方、籾摺部６のロール交換時は、前記ボルト等を取り外すと、スライド軸６２，６３により前記座部２５，３５が支承軸３２，３７の軸端から遠ざかる方向に移動させることができる（図８(A)の矢印（１）参照）。そして、前記座部２５，３５を移動させて支承軸３２，３７から軸受部２８，３６を抜くと、前記スライド軸６２，６３を中心に前記移動軸受２２及び固定軸受２３を回動することが可能となる（図８（A）の矢印（２）参照）。
【００３５】
（ゴムロールの脱着方法について）
上述のように、移動軸受２２及び固定軸受２３を支承軸３２，３７から回避させることで、ゴムロール４，５が軸方向で干渉することがなくなり、固定ボルト等を緩めると支承軸３２，３７からゴムロール４，５を容易に取り外すことができる（図８（B）参照）。
【００３６】
（作用）
以下、上記構成における本発明の籾摺機１の作用について説明する。電源を入れ、始動スイッチ等（図示せず）をオンして駆動モータ５２を駆動すると、モータプーリ５３の回転力がＶベルト５５を介して中継プーリ５４に伝達され、該中継プーリ５４からはＶベルト５６を介して大径プーリ３４及び小径プーリ３９に伝達される。これにより、一対のゴムロール４，５は互いに逆方向に且つ周速度に速度差を持って回転されることになる。また、小径の中継プーリ５７からはＶベルト５９を介して繰り込み用プーリ５８に回転力が伝達され、繰り込みロール１４が回転されることになる。
そして、エアシリンダ１１をオンしてシャッター１０を開成するとともに、流量調節バルブ１２を調節すると、供給タンク９に貯留された原料籾は繰り込みロール１４の回転により下方に移送される。供給樋１６に達した原料籾は帯状となって案内シュート１７に落下し、該案内シュート１７上を滑走する間に原料籾の長手方向が滑り落ちる方向と平行になるようにその姿勢が調整され、一対のゴムロール４，５間の間隙に落下する時点では、ほとんどの原料籾が長手方向に整列して供給されることになる。また、その時の原料籾の流下幅は軸方向に連結したゴムロール４ａ，４ｂ（又は５ａ，５ｂ）の幅と同等な幅の帯状で供給されることになる。
【００３７】
前記案内シュート１７は、原料籾が該案内シュート１７上を滑り落ち、ゴムロール４，５間に供給される際には自然落下に近い速度まで加速されるような長さと傾きに調節されており、原料籾の供給速度は概略３ｍ／秒〜５ｍ／秒となるように調節されている。案内シュート１７により原料籾が加速され、帯状で薄い層の状態でゴムロール４，５間に供給されることになる。その結果、原料籾の１粒１粒に対してゴムロール４，５の作用が均等に働き、脱ぷ作用が均等化して効率よく脱ぷされることになる。特に、原料籾の長手方向への整列作用をより確実とするために案内シュート１７の案内面に条溝（図示せず）を設けてもよい。
【００３８】
上記ゴムロール４，５間の間隙を通過した原料籾は、籾殻が除去された玄米、籾殻及び脱ぷしきれなかった籾との３種の混合粒が生じることになる。そして、この混合粒は風選部３の衝突板４２に衝突され、この衝撃力により玄米に付着していた籾殻が分離されるようになる。次いで、混合粒は流下路４５を流下するとともに、均分器４７に流路幅が拡幅された後に風選路４６に至る。風選路４６では混合粒は、比重の軽い籾殻や夾雑物などの異物が傾斜上方側に吸引される一方、比重の重い玄米や籾は整流板４８に衝突しながら下方の精品排出路４９に流下する。そして、比重の軽い籾殻や夾雑物などの異物は、籾殻衝突板５１により移送方向が偏向されて籾殻排出路５０に至り、アスピレータ８を経て機外に排出される。一方、比重の重い玄米や籾は、精品排出路４９の排出口４９ｂから機外に取り出され、玄米と籾とを分離すべく揺動選別機（図示せず）などに供給される。
【００３９】
上述のように脱ぷ作用が行われるのであるが、ゴムロール４，５は使用するにつれて時々刻々摩耗していき、特に、高速で回転する固定側のゴムロール５が早く摩耗する。そこで、ある程度ゴムロール４，５の摩耗が進行したときに、低速で回転していたゴムロール４を高速側に、高速で回転していたゴムロール５を低速側にそれぞれ周速度を変更すると、ゴムロール４，５の摩耗を均等にしてゴムロールの交換時期を遅らせることができる。このような周速度の変更方法としては、図４に示すＶベルト５６の掛け回しから、図７に示すＶベルト５７の掛け回しとするのがよい。
【００４０】
ゴムロール４，５の摩耗が進行して交換時期に到達したら、以下のようにゴムロール４，５の交換を行うことになる。まず、作業者は籾摺機１の作業用のステップ６４（図１参照）に上り、移動軸受２２を形成する座部２５及び固定軸受２３を形成する座部３５を軸方向に移動させる。すなわち、座部２５及び座部３５にはベース部２４と連結したスライド軸６２，６３がそれぞれ設けられており、前記座部２５，３５が支承軸３２，３７の軸端から遠ざかる方向に移動させて（図８(A)の矢印（１）参照）、支承軸３２，３７から軸受部２８，３６を抜くのである。次いで、前記スライド軸６２，６３を中心に前記移動軸受２２は時計回りに、前記固定軸受２３は反時計回りにそれぞれ回動させるのである（図８（A）の矢印（２）参照）。これにより、ゴムロール４，５の軸方向での干渉部材が全てなくなり、ゴムロール交換が容易となるのである。この状態で作業者が籾摺部６の前面ドア６ｂ（図１参照）を開放すると、移動軸受２２及び固定軸受２３が回避された状態でゴムロール４，５が露出することになる。
【００４１】
そして、作業者は支承軸３７に軸着したゴムロール５ａ，５ｂを順次取り外し（図８(B)参照）、次いで、支承軸３２に軸着したゴムロール４ａ，４ｂを順次取り外すのである。ゴムロール４，５を取り外した後は、これとは逆の順序で新品のゴムロールを装着すればよい。
【００４２】
以上のような作業手順によると、ゴムロール交換作業は簡便な作業となり、作業に要する人員も１人で十分である。また、支承軸からゴムロールを取り外す際の作業も簡単であり、作業時間も大幅に短縮することができる。
【００４３】
以上のように本発明によれば、ゴムロール４，５の摩耗が進行して交換時期に到達したら、まず、作業者は籾摺機の作業用のステップ６４に上り、移動軸受２２の座部２５及び固定軸受２３の座部３５を軸方向にスライドさせることで、ゴムロール４，５の支承軸３２，３７から軸受部２８，３６を抜くことができるのである。次いで、スライド軸６２，６３を中心に移動軸受２２の座部２５を時計回りに、固定軸受２３の座部３５を反時計回りにそれぞれ回動させる。これにより、ゴムロール３，４の軸方向における干渉部材が全てなくなり、ゴムロール交換作業が極めて容易となるのである。
【産業上の利用可能性】
【００４４】
本発明は、ゴムロール式の籾摺機などに適用することが可能である。
【符号の説明】
【００４５】
１  籾摺機
２  支柱
３  風選部
４  ゴムロール
５  ゴムロール
６  籾摺部
７  原料供給部
８  アスピレータ
９  供給タンク
１０  シャッター
１１  エアシリンダ
１２  流量調節バルブ
１３  調節つまみ
１４  繰り込みロール
１５  樋
１６  供給樋
１７  案内シュート
１８  シュート枠
１９  支持軸
２０  調節ロッド
２１  ハンドル
２２  移動軸受
２３  固定軸受
２４  ベース部
２５  座部
２６  ロール開閉リンク
２７  支軸
２８  軸受部
２９  ロール開閉機構
３０  ロール開閉支軸
３１  ロール開閉用シリンダ
３２  ゴムロール支承軸
３３  小径プーリ
３４  大径プーリ
３５  座部
３６  軸受部
３７  ゴムロール支承軸
３８  大径プーリ
３９  小径プーリ
４０  集穀樋
４１  集穀樋
４２  衝突板
４３  吸引口
４４  吸引管
４５  流下路
４６  風選路
４７  均分器
４８  整流板
４９  精品排出路
５０  籾殻排出路
５１  籾殻衝突板
５２  駆動モータ
５３  モータプーリ
５４  中継プーリ
５５  Ｖベルト
５６  Ｖベルト
５７  中継プーリ
５８  繰り込み用プーリ
５９  Ｖベルト
６０  テンションプーリ
６１  テンションプーリ
６２  スライド軸
６３  スライド軸
６４  ステップ
【図１】
2014208321.tif 000003
【図２】
2014208321.tif 000004
【図３】
2014208321.tif 000005
【図４】
2014208321.tif 000006
【図５】
2014208321.tif 000007
【図６】
2014208321.tif 000008
【図７】
2014208321.tif 000009
【図８】
2014208321.tif 000010